(57)【要約】【課題】開閉器の開閉が操作途中であることを容易に判定できる手動操作の簡素化した操作機構を提供する。【解決手段】開閉器に連結される回動自在の連結シャフト１と、連結シャフト１に固定されたインターロックレバー２と、インターロックレバー２に固定された突起３、（４）と、突起３、（４）に係止されるシャッター７に設けられたインターロック板１４と、シャッター７で塞がれるとともに、連結シャフト１を回動させる手動ハンドルを挿入する挿入口６とを備え、開閉器を開閉させるためにインターロックレバー２を回動させる操作途中では突起３、（４）にインターロック板１４が当接し、手動ハンドルを取外しても挿入口６が開放されることを特徴とする。【選択図】図１
2010251160.tif 000002
【特許請求の範囲】
【請求項１】
開閉器に連結される回動自在の連結シャフトと、
前記連結シャフトに固定されたインターロックレバーと、
前記インターロックレバーに固定された突起と、
前記突起に係止されるシャッターに設けられたインターロック板と、
前記シャッターで塞がれるとともに、前記連結シャフトを回動させる手動ハンドルを挿入する挿入口とを備え、
前記開閉器の開閉操作途中には前記突起に前記インターロック板が当接し、前記挿入口が開放されることを特徴とする開閉器のインターロック装置。
【請求項２】
前記シャッターの移動で動作するスイッチを設けたことを特徴とする請求項１に記載の開閉器のインターロック装置。
【請求項３】
前記開閉器は３ポジション開閉器であることを特徴とする請求項１または請求項２に記載の開閉器のインターロック装置。
【請求項４】
前記開閉器は断路器もしくは接地開閉器であることを特徴とする請求項１または請求項２に記載の開閉器のインターロック装置。
【発明の詳細な説明】
【技術分野】
【０００１】
本発明は、断路器や接地開閉器などの開閉器の開閉操作時における誤操作を防止する開閉器のインターロック装置に関する。
【背景技術】
【０００２】
従来、電極間距離の長い開閉器においては、固定側電極と接離する可動側電極を移動させるリンク機構が長くなり、このリンク機構の機械的応力を低減させるためや操作機構を簡素化するためなどから、低速度で可動側電極を移動させる手動操作による開閉が行われている（例えば、特許文献１参照。）。
【先行技術文献】
【特許文献】
【０００３】
【特許文献１】特開２００４−２０６９９１号公報  （第５ページ、図１）
【発明の概要】
【発明が解決しようとする課題】
【０００４】
上記の従来の手動操作の開閉器においては、次のような問題がある。例えば、入位置から切位置までの操作途中には、中間位置検出機構を設ける必要があり、操作機構の簡素化が困難となっていた。これは、可動側電極が操作途中であることを表示して操作員の誤操作を防止するとともに、操作途中では固定側と可動側との電極間距離が所定の絶縁距離に達せず、絶縁破壊を招くためである。
【０００５】
これを解決するために、可動側電極を高速で移動させるトグル機構を付加させるものがある。しかしながら、電極にバネ機構などを連結しなければならず、操作機構の簡素化には逆行するものであった。
【０００６】
このため、手動操作による操作機構の簡素化を図るとともに、可動側電極の位置が操作途中であることを容易に判定でき、誤操作を防止できる操作機構が望まれていた。
【０００７】
本発明は上記問題を解決するためになされたもので、手動操作によって操作機構を簡素化し、開閉器の開閉が操作途中であることを容易に判定できる開閉器のインターロック装置を提供することを目的とする。
【課題を解決するための手段】
【０００８】
上記目的を達成するために、本発明の開閉器のインターロック装置は、開閉器に連結される回動自在の連結シャフトと、前記連結シャフトに固定されたインターロックレバーと、前記インターロックレバーに固定された突起と、前記突起に係止されるシャッターに設けられたインターロック板と、前記シャッターで塞がれるとともに、前記連結シャフトを回動させる手動ハンドルを挿入する挿入口とを備え、前記開閉器の開閉操作途中には前記突起に前記インターロック板が当接し、前記挿入口が開放されることを特徴とする。
【発明の効果】
【０００９】
本発明によれば、開閉器の開閉操作途中では手動ハンドルの挿入口を開放するようにしているので、簡素化された操作機構で操作途中が容易に判定でき、操作員の誤操作を防止することができる。
【図面の簡単な説明】
【００１０】
【図１】本発明の実施例に係る開閉器のインターロック装置の構成を示す正面図。
【図２】図１のＡ−Ａ断面図。
【図３】本発明の実施例に係る開閉器のインターロック装置の操作を説明する正面図。
【図４】図３のＡ−Ａ断面図。
【図５】本発明の実施例に係る開閉器のインターロック装置の操作途中を説明する正面図。
【図６】図５のＡ−Ａ断面図。
【発明を実施するための形態】
【００１１】
以下、図面を参照して本発明を実施例を説明する。
【実施例】
【００１２】
本発明の実施例に係る開閉器のインターロック装置を図１〜図６を参照して説明する。なお、開閉器は、入位置、切位置、接地位置を有する３ポジション開閉器を用いて説明する。
【００１３】
入位置の状態を示す図１、図２に示すように、図示しない開閉器の可動側電極には、回動自在の連結シャフト１が連結されている。連結シャフト１には、扇状のインターロックレバー２の要部が固定されている。インターロックレバー２の扇状の部分は窪んだ凹部２ａとなっており、凹部２ａの半径方向の中間部に、突出した円弧状の第１の突起３と第２の突起４とが所定の間隔を保って設けられている。
【００１４】
インターロックレバー２の扇状の部分はＬ字状のシャッター取付板５で覆われており、開閉器を手動操作するための図示しない手動ハンドルを挿入する挿入口６が設けられている。また、シャッター取付板５には、後述するシャッター７を移動させるための図示左右方向に長円状の開口孔８が設けられ、その図示上下方向にシャッター７を貫通する２本の固定ピン９が固定されている。また、スイッチ１０が固定されている。
【００１５】
シャッター７には、開口孔８を移動する操作レバー１１が固定され、その端部がシャッター取付板５外に導出されている。また、図示左右方向に長円状の開口孔１２が略平行に２本設けられ、固定ピン９が移動できるようになっている。スイッチ１０と対向する面には、シャッター７の移動によりスイッチ１０を動作させるスイッチ板１３が固定されている。
【００１６】
インターロックレバー２の扇状の部分のシャッター７端は、Ｌ字状に折り曲げられたインターロック板１４に形成されており、凹部２ａ内に位置している。即ち、インターロック板１４は、シャッター７の移動やインターロックレバー２の回動により、凹部２ａ内を移動自在に移動することができる。
【００１７】
シャッター７とシャッター取付板５間には、シャッター７を図示左方向に移動させて、挿入口６をシャッター７で塞ぐように付勢された復帰バネ１５が設けられている。
【００１８】
次に、開閉器の開閉操作を図３、図４を参照して説明する。
【００１９】
図３、図４に示すように、操作レバー１１を図示右方向に移動させると、シャッター７が図示右方向に移動し、挿入口６が開放される。インターロック板１５も図示右方向に移動し、インターロックレバー２の凹部２ａの内周部から外周部に移動する。スイッチ１０は、スイッチ板１３により動作する。これにより、挿入口６に図示しない手動ハンドルを挿入することができ、連結シャフト１を回動させると、入位置から切位置または接地位置に開閉操作することができる。スイッチ１０では、挿入口６が開放されたことを表示することができる。
【００２０】
次に、入位置から切位置に操作する途中を図５、図６を参照して説明する。
【００２１】
図５、図６に示すように、挿入口６に図示しない手動ハンドルを挿入し、連結シャフト１を反時計方向に回動させると、インターロックレバー２も同様に回動する。ここで、手動ハンドルを挿入口６から引き抜くと、シャッター７が復帰バネ１５によって図示左方向に少し移動し、インターロック板１４が第１の突起３に当接する。このため、シャッター７の移動は停止し、挿入口６が開放された状態となる。
【００２２】
第１の突起３と第２の突起４間の凹部２ａまでインターロックレバー２を回動させると、インターロック板１４は図示左方向に移動して停止し、挿入口６をシャッター７で塞ぐことができる。この位置が、切位置となる。即ち、操作途中においては、挿入口６が開放された状態となる。
【００２３】
なお、切位置から接地位置の操作途中においては、インターロック板１４が第２の突起４に当接し、挿入口６が開放された状態になる。インターロックレバー２を約９０度回動させ、インターロック板１４を凹部２ａの内周部に位置させると、挿入口６がシャッター７で塞がれ、接地位置となる。
【００２４】
これらのことより、第１の突起３は、入位置から切位置までの間に形成され、シャッター７の移動を阻止するものである。また、第２の突起４は、切位置から接地位置までの間に形成され、シャッター７の移動を阻止するものである。そして、インターロック板１４が第１の突起３および第２の突起４に係止される範囲においては、挿入口６を開放状態にし、操作途中であることを操作員に知らせるものである。
【００２５】
また、インターロックレバー２の扇状の部分を凹部２ａとし、凹部２ａ内に第１の突起３と第２の突起４を設けているので、インターロック板１４が凹部２ａ内から外れ出ることがない。このため、シャッター７の移動を確実なものとすることができる。
【００２６】
上記実施例の開閉器のインターロック装置によれば、開閉器の開閉操作途中ではシャッター７に設けたインターロック板１４が第１の突起３および第２の突起４に係止され、挿入口６が開放されるようにしているので、簡素化された操作機構で開閉操作が途中であることを容易に判定でき、操作員の誤操作を防止することができる。
【００２７】
なお、本発明は、上記実施例に限定されるものではなく、発明の要旨を逸脱しない範囲で、種々変形して実施することができる。上記実施例では、開閉器を３ポジション開閉器で説明したが、入位置と切位置を有する断路器、および切位置と接地位置を有する接地開閉器に用いることができる。断路器、接地開閉器とも開閉操作の途中に、インターロック板１４が係止される突起３、（４）をインターロックレバー２に設ければよい。
【符号の説明】
【００２８】
１  連結シャフト
２  インターロックレバー
２ａ  凹部
３  第１の突起
４  第２の突起
５  シャッター取付板
６  挿入口
７  シャッター
８、１２  開口孔
９  固定ピン
１０  スイッチ
１１  操作レバー
１３  スイッチ板
１４  インターロック板
１５  復帰バネ
【図１】
2010251160.tif 000003
【図２】
2010251160.tif 000004
【図３】
2010251160.tif 000005
【図４】
2010251160.tif 000006
【図５】
2010251160.tif 000007
【図６】
2010251160.tif 000008